(57)【要約】【課題】            従前の構成は時としてクロムイオンの析出に十分な大きさの電流密度が得られない場合もあることが判明したので、さらに確実に、より十分な電流密度を得ることができるように、陽極及び陰極の構成を改良する点にある。【解決手段】        バレルめっき装置は一対の相対向する支持板間に、駆動モータと伝動されるギア機構によって回転される断面正多面体としたバレルを有するバレルめっき装置において、前記バレルの回転中心部分に固定された軸状陽極を備え、かつ、バレルの多面体とされた胴壁板の全体を導電性材で成形した陰極としてあることとし、前記した軸状陽極はその下方に極面を拡大するプレートパートを備えていることとし、前記した軸状陽極の上側には上方への電流を防止する不導材によるカバーが山形あるいはアーチ形として前記したプレートパートまでを覆うように備えられていることとする。【選択図】          図４
2006022344.tif 000002
【特許請求の範囲】
【請求項１】
一対の相対向する支持板間に、駆動モータと伝動されるギア機構によって回転される断面正多面体としたバレルを有するバレルめっき装置において、前記バレルの回転中心部分に固定された軸状陽極を備え、かつ、バレルの多面体とされた胴壁板の全体を導電性材で成形した陰極としてあることを特徴とするバレルめっき装置。
【請求項２】
前記した軸状陽極はその下方に極面を拡大するプレートパートを備えていることを特徴とする請求項１に記載のバレルめっき装置。
【請求項３】
前記した軸状陽極の上側には上方への電流を防止する不導材によるカバーが山形あるいはアーチ形として前記したプレートパートまでを覆うように備えられていることを特徴とする請求項１または請求項２に記載のバレルめっき装置。
【請求項４】
前記した胴壁板の全体とされた陰極には密封されたロータリーコネクタを介して電源が供給されることを特徴とする請求項１、請求項２または請求項３に記載のバレルめっき装置。
【請求項５】
前記した支持板の一方の上方に前記した陰極への供給電源接続部が形成され、その供給電源接続部からロータリーコネクタを介して垂下された電線がベローズ管内を通して設けられていることを特徴とする請求項１、請求項２、請求項３または請求項４に記載のバレルめっき装置。
【請求項６】
前記した支持板の他方側には前記した軸状陽極への供給電源接続部が設けられていることを特徴とする請求項１、請求項２、請求項３、請求項４または請求項５に記載のバレルめっき装置。
【請求項７】
前記したバレルの胴壁板のうち一枚は着脱自在な蓋体とされ、その蓋体を外すことでワークの出入を行なう開口が形成されるものとし、その蓋体も全体を導電性材で成形した陰極としてあることを特徴とする請求項１、請求項２、請求項３、請求項４、請求項５または請求項６に記載のバレルめっき装置。
【請求項８】
前記した陰極となる胴壁板及び蓋体はチタンメッシュで成形されていることを特徴とする請求項１、請求項２、請求項３、請求項４、請求項５、請求項６または請求項７に記載のバレルめっき装置。
【請求項９】
前記した支持板間の上端に、吊持や握持用のグリップバーを設けてあることを特徴とする請求項１、請求項２、請求項３、請求項４、請求項５、請求項６、請求項７または請求項８に記載のバレルめっき装置。
【発明の詳細な説明】
【技術分野】
【０００１】
本発明はバレルめっき装置に関し、特にビスや袋ナット等の比較的小型のワーク表面に対するめっき、それも従来は不可能とされていたクロムめっき処理を行なうことができることとしたバレルめっき装置に関する。
【背景技術】
【０００２】
一般的にバレルめっき装置はビス、ナット、袋ナット等の比較的小物のワーク外表面に対しめっきをするために利用されている。バレルは体積変化とめっき液流入の効率性から断面を正六角形としたものが主流となっており、そのバレルの一方側の円状側板の外周面にギアを形成し、駆動モータとギア伝動メカニズムを介して連動され、一定速度で回転されるものとなっている。
【０００３】
そのバレルの胴壁板にはめっき液が出入するための通液孔が多数穿設され、その通液孔のサイズはワークがこぼれ出ることがない小さなものとされる。バレル内に投入されたワークはバレルの回転に伴なってバレル内で一定方向へ運ばれ、滑り落下される動作が繰り返されることとなる。また、胴壁板のうち一枚はバレル内にワークを出入させるための開口を閉塞する蓋体とされ、バレルに対し着脱が自在となっている。
【０００４】
さらに、一般的なバレルめっき装置はめっき液の抵抗等の関係から陽極はバレル外に配備され、ワーク自体を陰極として金属イオンを含んだ電解質溶液からワークの外表面に目的金属の簿膜を析出させて形成していくものとなっている。
【０００５】
しかしながら、この従来のバレルめっき装置ではワークの外表面にクロム、特に有害性のない３価クロム、６価クロムのめっき処理を行なうことは不可能とされている。これはクロムの場合、電流密度が大きくないと析出することができ得ないからである。
【０００６】
この点に着目して本件出願人は、このクロムめっきをも可能とするバレルめっき装置を開発し、特許出願手続を行なった。この既出願の概要を図５乃至図７を参照して説明する。
【０００７】
図５は既出願に係るバレルめっき装置を示す正面図、図６は同じく右側面図、図７は同じく左側面図である。この図５乃至図７にあって１はバレルめっき装置本体を示している。このバレルめっき装置本体１は一対の相対向するアクリル等のプラスチック製の支持板２ａ、２ｂを有している。この各支持板２ａ、２ｂの各下端前後には据え置き時に安定をはかるための突起３、３が一体的に設けられており、各支持板２ａと２ｂの突起３、３‥間には補強用のバー４、４が渡され備えられている。
【０００８】
また、前記した支持板２ａ、２ｂの上端寄りの略中央部分には、このバレルめっき装置本体を搬送したり吊持したりする際に使用されるグリップバー５が渡され、備えられている。さらに、支持板２ａ、２ｂ間の上方寄りには一対のパイプ６、６とそのパイプ６、６に固定されたアクリル等のプラスチック製による駆動モータ７の取り付け部８が形成されている。７ａは駆動モータ７の電源コードを示している。
【０００９】
前記した駆動モータ７のモータ軸には起動ギア９が取り付けられており、この起動ギア９には第一の伝動ギア１０が前記したパイプ６、６間の位置で噛合され、その第一の伝動ギア１０には同ピッチとされた第二の伝動ギア１１が噛合されている。この第一の伝動ギア１０と第二の伝動ギア１１はともに支持板２ａの内面に備えられた受板１２に軸支された構成となっている。
【００１０】
一方、図中１３はバレルを示している。このバレル１３は全体として正六角柱体となっており、その両側面には支持用円板１４ａ、１４ｂが設けられている。一方の支持用円板１４ａの周壁面にはギア１５が形成され、このギア１５が前記した第二の伝動ギア１１と噛合されて回転力を受けるようになっている。また、各支持用円板１４ａ、１４ｂの中心外面に形成される突子が各支持板２ａ、２ｂと嵌め合わされ回転軸として作用するものとなっている。
【００１１】
また、正六角柱体を形成する各胴壁板１６、１６‥には多数の通液孔が穿設されており、バレル１３をめっき液（金属イオンを含む電解質溶液）中で回転させることでそのめっき液がバレル１３内に出入する構成とされている。
【００１２】
さらに、正六角柱体を形成する各胴壁板１６、１６‥のうち一枚はバレル１３内にワークの出入を行なうため開口１７を形成させるための蓋体とされており、この蓋体にも他の固定された胴壁板１６、１６‥と同様に多数の通液孔が穿設されている。
【００１３】
各胴壁板１６、１６‥間のコーナー部分の外面には補強翼体１９、１９‥が一体に設けられており、開口１７と隣接する補強翼体１９、１９には各々一対の長溝２０、２０が対向位置に設けられており、この長溝２０、２０に蓋体の外表面に回転自在に軸支されたロックプレートの端部が嵌合されることで蓋体による開口１７の閉塞がなされ、その嵌合を解除することで蓋体を外すことができるものとされている。
【００１４】
また、バレル１３内には、その回転中心部分に軸状陽極２２が固定されて、即ち回転することなく設けられている。この軸状陽極２２には支持板２ｂ側の外面上方に備えられた電極２３から電力が供給されるものとされている。さらには、軸状陽極２２の上半面には電流が上方へ流れることがないように、塩化ビニールやテフロン（登録商標）等の不導体によるシールを施したものとしてある。
【００１５】
そして、前記した蓋体も含めた胴壁板１６、１６‥の略中央には長手方向に沿って帯状陰極２５、２５‥を設けることとしてある。この帯状陰極２５、２５には支持板２ａの外面上方に取り付けられた電源供給部２６より電力が供給される。
【００１６】
この電源供給部２６は上向きコ字状に形成されているもので、そこにクランク状の取付金具２７の下端面をビス等で固着し、上端面に電線２８のターミナル２８ａを止着するナット部材２９が備えられている。このナット部材２９からは第一のロータリーコネクタ３０を介して電線３１が電源供給部２６を貫通し、下方へ導かれている。なお、図中３２は電源供給部２６を上方から覆うカバー部材で３３は電線２８の挿通孔を示している。
【００１７】
前記した電線３１は第二のロータリーコネクタ３４を介して帯状陰極２５、２５‥と接続される。この第二のロータリーコネクタ３４は水銀が封入された密封構造とされ、バレル１３内からめっき液が外部へ漏出してしまうことがないものとされている。
【００１８】
前記した電線３１は略直角方向に屈曲された状態で接続されることとなるが、電源供給部２６と第二のロータリーコネクタ３４との間では、電線３１はベローズ管３５内に挿通されてガードされた構成とされている。バレル１３の回転、強いては帯状陰極２５、２５‥の回転に伴なって、第一及び第二のロータリーコネクタ３０、３４を介したことで電線３１も回転していくこととなるが、この際に屈曲された状態での回転により生じる捻れをベローズ管３５も同時に回転することで吸収し、内部に挿通されている電線３１の回転に伴なう暴れを抑えるものとしている。
【特許文献１】特願２００４−０４９７６６出願書類
【発明の開示】
【発明が解決しようとする課題】
【００１９】
本発明が解決しようとする問題点は、上記した既出願の構成は時としてクロムイオンの析出に十分な大きさの電流密度が得られない場合もあることが判明したので、さらに確実に、より十分な電流密度を得ることができるように、陽極及び陰極の構成を改良する点にある。
【課題を解決するための手段】
【００２０】
係る目的を達成するために、本発明に係るバレルめっき装置は一対の相対向する支持板間に、駆動モータと伝動されるギア機構によって回転される断面正多面体としたバレルを有するバレルめっき装置において、前記バレルの回転中心部分に固定された軸状陽極を備え、かつ、バレルの多面体とされた胴壁板の全体を導電性材で成形した陰極としてあることを特徴とし、前記した軸状陽極はその下方に極面を拡大するプレートパートを備えていることを特徴とし、前記した軸状陽極の上側には上方への電流を防止する不導材によるカバーが山形あるいはアーチ形として前記したプレートパートまでを覆うように備えられていることを特徴としている。
【００２１】
また、本発明に係るバレルめっき装置は前記した胴壁板の全体とされた陰極には密封されたロータリーコネクタを介して電源が供給されることを特徴とし、前記した支持板の一方の上方に前記した陰極への供給電源接続部が形成され、その供給電源接続部からロータリーコネクタを介して垂下された電線がベローズ管内を通して設けられていることを特徴とし、前記した支持板の他方側には前記した軸状陽極への供給電源接続部が設けられていることを特徴としている。
【００２２】
さらに、本発明に係るバレルめっき装置は前記したバレルの胴壁板のうち一枚は着脱自在な蓋体とされ、その蓋体を外すことでワークの出入を行なう開口が形成されるものとし、その蓋体も全体を導電性材で成形した陰極としてあることを特徴とし、前記した陰極となる胴壁板及び蓋体はチタンメッシュで成形されていることを特徴とし、前記した支持板間の上端に、吊持や握持用のグリップバーを設けてあることを特徴としている。
【発明の効果】
【００２３】
本発明に係るバレルめっき装置は、蓋体を含めたバレルの胴壁板全体を例えばチタンメッシュ等の導電性材で成形し、その全体を陰極としてあるため、バレルの回転時に内部のワークは常時陰極と接触していることとなり、転接時でもその接触が途切れることがなく、十分な電通効果を得ることができる。
【００２４】
また、軸状陽極の下面にプレートパートを備えたことで電極としての表面積が大きくなって必要十分な電通効果を発揮することができ、この軸状陽極の表面積の拡大に伴なって、上方への電流を防止するため不導材のカバー構造もその面積を拡張してあり、十分に対処することができるものとなっている。
【００２５】
かかる構成としたことにより、さらに精度よく、十分な電流密度を確保することが可能となって、より一層クロムのめっきにおいても効果を得ることができることとなる。加えて、胴壁板の全体とされた陰極とロータリーコネクタを介して接続される電線はベローズ管でカバーされることで、このベローズ管の曲折状態での回転で、生じる捻れを良好に吸収することができるものとしている。
【発明を実施するための最良の形態】
【００２６】
図面として表わされる形態として実現した。
【実施例１】
【００２７】
次に、本発明の好ましい実施の一例を図１乃至図４を参照して説明する。なお、この図１乃至図４として示す実施例は本願出願人による既出願済発明の改良点を示すもので、この改良点以外の部分は前述した図５乃至図７として示した構成と共通し、この実施例としては詳細な説明を省略する。図１はバレルの斜視図、図２は同じく断面図、図３は蓋体の正面図、図４は軸状陽極の断面図である。
【００２８】
この図１乃至図４にあって１３ａはバレルを示している。このバレル１３ａを構成する胴壁板１６ａ、１６ａ‥は全体を例えばチタンメッシュ等の導電性材で成形してあり、胴壁板１６ａ、１６ａ‥自体が陰極として作用するものとされている。そのために、内部に投入されたワークが転がされる場合、常時この胴壁板１６ａ、１６ａ‥と接触されることとなり、十分な通電効果を得ることができるようになっている。
【００２９】
また、バレル１３ａの開口１７を閉塞する蓋体１８ａも胴壁板１６ａと同様に全体をチタンメッシュ等の導電性材で成形して陰極作用を得るものとしてある。ロックプレート２１、２１は既出願例と同様に設けられ、作用するものとなっている。
【００３０】
さらに、バレル１３ａ内の回転中心部分に固定された軸状陽極２２ａはその下面に極面を拡大するためのプレートパート３６が一体的に備えられている。このプレートパート３６を具備したことによって電流は広い範囲で流出されることとなり、陰極となる胴壁板１６ａ、１６ａ‥や蓋体１８ａに向け強い電流密度を十分に確保させることができ、めっき液からもクロムイオンを十分に析出させることができることとなる。
【００３１】
そして、軸状陽極２２ａにプレートパート３６を備えて表面積を拡大したことに伴ない、電流が上方へ行くことを防止するため不導材によるシール部２４ａは軸状陽極２２ａの頂部からプレートパート３６の両端までを覆う山形のものとして付設してある。この実施例ではシール部２４ａを山形としてあるが、目的を達成するためにはこれをアーチ形等の別異の形状とすることも勿論可能である。
【産業上の利用可能性】
【００３２】
本発明に係るバレルめっき装置は上述のように構成されるので、装置のサイズを変更することで、ワークの種類にこだわることなく、大きな電流密度を要求される金属によるめっき処理を可能とする。
【図面の簡単な説明】
【００３３】
【図１】本発明に係るバレルめっき装置におけるバレルの斜視図である。
【図２】断面図である。
【図３】蓋体の正面図である。
【図４】軸状陽極の断面図である。
【図５】バレルめっき装置の正面図である。
【図６】右側面図である。
【図７】左側面図である。
【符号の説明】
【００３４】
１      バレルめっき装置本体
２ａ    支持板
２ｂ    支持板
３      突起
４      バー
５      グリップバー
６      パイプ
７      駆動モータ
７ａ    電源コード
８      取り付け部
９      起動ギア
１０    第一の伝動ギア
１１    第二の伝動ギア
１２    受板
１３    バレル
１３ａ  バレル
１４ａ  支持用円板
１４ｂ  支持用円板
１５    ギア
１６    胴壁板
１６ａ  胴壁板
１７    開口
１８    蓋体
１８ａ  蓋体
１９    補強翼体
２０    長溝
２１    ロックプレート
２２    軸状陽極
２２ａ  軸状陽極
２３    電極
２４    シール
２４ａ  シール部
２５    帯状陰極
２６    電源供給部
２７    取付金具
２８    電線
２８ａ  ターミナル
２９    ナット部材
３０    第一のロータリーコネクタ
３１    電線
３２    カバー部材
３３    挿通孔
３４    第二のロータリーコネクタ
３５    ベローズ管
３６    プレートパート
【図１】
2006022344.tif 000003
【図２】
2006022344.tif 000004
【図３】
2006022344.tif 000005
【図４】
2006022344.tif 000006
【図５】
2006022344.tif 000007
【図６】
2006022344.tif 000008
【図７】
2006022344.tif 000009